(57)【要約】【課題】  撮影範囲を拡張または変更する作業を容易に行うこと。【解決手段】    干渉光学系１００は、カップラ１０４と光検出器１２０と、を備える。カップラ１０４は、ＯＣＴ光源１０２からの光を測定光路と参照光路（参照光学系１１０の光路）とに分割する。光検出器１２０は、測定光路を介して被検眼の組織上に導かれた測定光と参照光路からの参照光とのスペクトル干渉信号を検出する。参照光路は、第１導波路と、第２導波路と、を含む。第３導波路を含む参照用アタッチメント２００は、第３導波路が第１導波路の端部と第２導波路の端部との間で挿脱されるように、干渉光学系１００に対して着脱される。これによって、参照光路の光路長が変更される。【選択図】      図１
2020124297.tif 000002
【特許請求の範囲】
【請求項１】
ＯＣＴ光学系の調整方法であって、
前記ＯＣＴ光学系は、ＯＣＴ光源からの光を測定光路と参照光路とに分割する光分割器と、前記測定光路を介して被検眼の組織上に導かれた測定光と前記参照光路からの参照光とのスペクトル干渉信号を検出するための光検出器と、前記参照光路の一部を形成する第１導波路と、前記参照光路の一部を形成する第２導波路と、を含み、
第３導波路を含む参照用アタッチメントを、前記第３導波路が前記第１導波路の端部と前記第２導波路の端部との間で挿脱されるように、前記ＯＣＴ光学系に対して着脱することによって、前記参照光路の光路長を変更する、ＯＣＴ光学系の調整方法。
【請求項２】
前記参照光路において、前記第１導波路は、前記光分割器側に形成され、前記第２導波路は、前記第１導波路に対して前記光検出器側に形成されている請求項１記載のＯＣＴ光学系の調整方法。
【請求項３】
前記ＯＣＴ光学系に対して装着されている前記参照用アタッチメントである第１アタッチメントを、第１アタッチメントとは前記第３導波路の光路長が互いに異なる前記参照用アタッチメントである第２アタッチメントと取り換えることによって、前記参照光路の光路長を変更する、請求項１又は２記載のＯＣＴ光学系の調整方法。
【請求項４】
前記第１導波路の端部と前記第２導波路の端部とは直接に接続可能であって、
前記第１導波路の端部と前記第２導波路の端部とを相互に接続したときの前記参照光路の状態である第１状態と、前記第１導波路の端部と前記第２導波路の端部との間に前記第３導波路が接続されたときの前記参照光路の状態である第２状態との間で切替わるように、前記参照用アタッチメントと前記ＯＣＴ光学系とを着脱する請求項１又は２記載のＯＣＴ光学系の調整方法。
【請求項５】
前記参照用アタッチメントを着脱することによって生じる前記参照光の光路長の変化は、前記測定光路上におい第３アタッチメントを挿脱することによる光路長の変化と対応していることを特徴とする、請求項１から４のいずれかに記載のＯＣＴ光学系の調整方法。
【請求項６】
前記ＯＣＴ装置は、前記第１導波路の前記端部 と前記第２導波路の前記端部とのそれぞれに、前記第１導波路と前記第２導波路とを、間接的または直接的に接続するための第１コネクタを有し、 
前記参照用アタッチメントは、前記第３導波路の両端それぞれに、前記第１コネクタに対して着脱可能な第２コネクタを有し、
前記参照用アタッチメントと前記ＯＣＴ光学系との着脱は、前記第１コネクタに対して前記第２コネクタをそれぞれ着脱することによって行う、請求項１から５のいずれかに記載のＯＣＴ光学系の調整方法。
【請求項７】
ＯＣＴ光学系に対して着脱されることで、前記参照光路の光路長を変更する参照用アタッチメントであって、
前記ＯＣＴ光学系は、ＯＣＴ光源からの光を測定光路と参照光路とに分割する光分割器と、前記測定光路を介して被検眼の組織上に導かれた測定光と前記参照光路からの参照光とのスペクトル干渉信号を検出するための光検出器と、前記参照光路の一部を形成する第１導波路であって、前記光分割器側の第１導波路と、前記参照光路の一部を形成する第２導波路であって、前記第１導波路に対して前記光検出器側の第２導波路と、を含み、
前記参照用アタッチメントは、第３導波路と、前記第３導波路が前記第１導波路の端部と前記第２導波路の端部との間で挿脱されるように、前記ＯＣＴ光学系に対して着脱可能である参照用アタッチメント。
【請求項８】
前記第３導波路は、光路長が互いに異なる第１分岐光路と第２分岐光路との少なくとも２つに分岐しており、前記第１分岐光路を経た参照光と前記第２分岐光路を経た参照光とが、同時に、又は、択一的に、前記検出器へ導かれることを特徴とする、請求項７記載の参照用アタッチメント。
【請求項９】
前記参照用アタッチメントは、前記第３導波路の光路長を可変制御するデバイスを含む請求項７記載の参照用アタッチメント。
【請求項１０】
前記ＯＣＴ光学系と、前記参照用アタッチメントと、を含む請求項７〜９のいずれかに記載のＯＣＴ装置。
【発明の詳細な説明】
【技術分野】
【０００１】
本開示は、ＯＣＴ光学系の調整方法、その調整方法に適した参照用アタッチメント、および、ＯＣＴ装置、に関する。
【背景技術】
【０００２】
ＯＣＴ装置は、例えば、ＯＣＴ光学系から出力される測定光と参照光とのスペクトル干渉信号を処理して、被検眼のＯＣＴデータを取得する。例えば、被検眼の眼底を撮影する場合、測定光の出射窓から眼底までの距離には個人差があるので、測定光と参照光との光路長差は、被検眼毎に異なり得る。そこで、測定光と参照光との光路長差を補正するために駆動される光学部材が設けられた装置が、従来より知られている（特許文献１参照）。
【０００３】
また、特許文献２には、装置本体と、被検眼と、の間にアタッチメントが着脱されることで、眼底上における撮影範囲が変更される装置が開示されている。
【先行技術文献】
【特許文献】
【０００４】
【特許文献１】特開２０１５−４３８４４号公報
【特許文献２】特開２０１６‐１２３４６７号公報
【発明の開示】
【発明が解決しようとする課題】
【０００５】
例えば、アタッチメントの着脱による光路長差の変化量が、被検眼の個体差による光路長差の変化量に比べて、各段に大きい場合が考えられる。本件発明者が検討したところ、従来の装置では、アタッチメントの着脱に伴う光路長差の変化を、十分に補正できなかった。また、当初は想定されなかった撮影範囲を、アタッチメント等を用いることによって、事後的に撮影できるようにすることは、従来、何ら想定されていない。
【０００６】
また、アタッチメント等は、オプションとして、ユーザーに提供される場合が考えられる。この場合、アタッチメントが不要なユーザーのＯＣＴ装置にまで、アタッチメントの着脱に対応した光路長差を補正するための部材が、予め組み込まれている必要は無い。一方、当初はアタッチメントが不要であっても、事後的にアタッチメントを所望するユーザーも存在する。
【０００７】
本開示は、従来の問題点に鑑み、撮影範囲を拡張または変更する作業が容易な、ＯＣＴ光学系の調整方法、その調整方法に適した参照用アタッチメント、および、ＯＣＴ装置を提供することを技術課題とする。
【課題を解決するための手段】
【０００８】
本開示の第１の態様に係るＯＣＴ光学系の調整方法では、前記ＯＣＴ光学系は、ＯＣＴ光源からの光を測定光路と参照光路とに分割する光分割器と、前記測定光路を介して被検眼の組織上に導かれた測定光と前記参照光路からの参照光とのスペクトル干渉信号を検出するための光検出器と、前記参照光路の一部を形成する第１導波路と、前記参照光路の一部を形成する第２導波路と、を含み、第３導波路を含む参照用アタッチメントを、前記第３導波路が前記第１導波路の端部と前記第２導波路の端部との間で挿脱されるように、前記ＯＣＴ光学系に対して着脱することによって、前記参照光路の光路長を変更する。
【０００９】
本開示の第２の態様に係る参照用アタッチメントは、ＯＣＴ光学系に対して着脱されることで、前記参照光路の光路長を変更する参照用アタッチメントであって、前記ＯＣＴ光学系は、ＯＣＴ光源からの光を測定光路と参照光路とに分割する光分割器と、前記測定光路を介して被検眼の組織上に導かれた測定光と前記参照光路からの参照光とのスペクトル干渉信号を検出するための光検出器と、前記参照光路の一部を形成する第１導波路であって、前記光分割器側の第１導波路と、前記参照光路の一部を形成する第２導波路であって、前記第１導波路に対して前記光検出器側の第２導波路と、を含み、前記参照用アタッチメントは、第３導波路と、前記第３導波路が前記第１導波路の端部と前記第２導波路の端部との間で挿脱されるように、前記ＯＣＴ光学系に対して着脱可能である。
【００１０】
本開示の第３の態様に係るＯＣＴ装置は、第２の態様に係る参照用アタッチメントと、第２の態様に係る参照用アタッチメントが装着されたＯＣＴ光学系と、を含む。
【発明の効果】
【００１１】
本開示は、撮影範囲を拡張または変更する作業が容易であることを特徴とする。
【図面の簡単な説明】
【００１２】
【図１】第１実施例に係る光学系の概略構成を示す図である。
【図２】第１実施例の制御系を示すブロック図である。
【図３】中心領域を撮影した眼底のＢスキャン画像の一例である。
【図４】広角領域を撮影した眼底のＢスキャン画像の一例である。
【図５】干渉光学系および参照用アタッチメントに設けられたケースを示す図である。
【図６】第２実施例に係る参照用アタッチメントを示した図である。
【図７】第３実施例に係る参照用アタッチメントを示した図である。
【図８Ａ】第４実施例に係る参照用アタッチメントの１つと、第１導波路および第２導波路の端部を示している。
【図８Ｂ】第４実施例に係る参照用アタッチメントであって、図８Ａとは別の参照用アタッチメントと、第１導波路および第２導波路の端部を示している。
【図９Ａ】第５実施例に係るＯＣＴ装置の初期状態を示した図である。
【図９Ｂ】第５実施例に係るＯＣＴ装置において、参照用アタッチメントおよび画角切換アタッチメントを装着した状態を示した図である。
【発明を実施するための形態】
【００１３】
本開示の実施形態の一例について図面に基づいて説明する。図１〜図９Ｂは本実施形態の実施例に係る図である。なお、以下の＜＞にて分類された項目は、独立又は関連して利用されうる。
【００１４】
＜ＯＣＴ装置の概略構成＞
本実施形態に係るＯＣＴ装置は、ＯＣＴ光学系（例えば、図１参照）を備える。また、ＯＣＴ装置は、ＯＣＴ光学系の検出器から出力されるスペクトル干渉信号を処理してＯＣＴデータを取得可能であってもよい。この場合、ＯＣＴ光学系は、例えば、フーリエドメインＯＣＴ光学系（ＳＳ−ＯＣＴ光学系、ＳＤ−ＯＣＴ光学系）であってもよく、ＯＣＴ光学系は、光分割器と、光検出器と、を有してもよい。光分割器は、ＯＣＴ光源からの光を測定光路と参照光路に分割する。光検出器は、測定光路を介して被検眼に導かれた測定光と参照光路からの参照光とのスペクトル干渉信号を検出する。更に、ＯＣＴ装置は、画像処理器を備えてもよく、画像処理器は、ＯＣＴ光学系から出力されるスペクトル干渉信号を処理してＯＣＴデータを取得可能であってもよい。
【００１５】
以下の実施例では、特に断りが無い限り、ＯＣＴ光学系における参照光学系は、透過型であるものとする。但し、反射型の参照光学系を備えるＯＣＴ光学系に対しても、本開示は適用可能である。
【００１６】
＜測定光路＞
ＯＣＴ装置は、測定光路の光路長変化を伴って、撮影範囲に関する測定光の照射条件を変更可能であってもよい。撮影範囲に関する測定光の照射条件が変更され、更に、測定光と参照光との光路長差が適宜調整されることによって、撮影範囲が変更される。この場合、撮影範囲は、例えば、深さ方向に関して変更されてもよいし、横断方向に関して変更されてもよい。深さ方向に関して変更される場合、撮影範囲は、被検眼の前眼部と眼底との間で変更されてもよい。また、前眼部の角膜側の領域と水晶体側の領域との間で変更されてもよい。横断方向に関して変更される場合、例えば、眼底の中心領域と、眼底の広角領域との間で変更されてもよい。広角領域は、中心領域に対する眼底の周辺領域を含む領域である（図４参照）。広角領域は、周辺領域に加え、更に中心領域を含む領域であってもよい。撮影範囲に関する照射条件は、例えば、測定光の集光位置、および、走査範囲のうちいずれかに関する条件であってもよい。なお、以下の説明においては、ＯＣＴ装置における測定光の走査範囲の大きさを、画角と称する場合がある。
【００１７】
ＯＣＴ装置は、導光光学系を有していてもよい。導光光学系の状態が切替わることによって、照射条件が切換えられてもよい。導光光学系は、測定光路上に形成されている。導光光学系は、少なくとも光走査部（光スキャナ）と、フォーカス調整部とを含んでいてもよい。また、導光光学系は、更には、対物光学系を含んでいてもよい。導光光学系は、光分割器からの測定光を光走査部によって偏向することで、被検眼の組織上で、測定光が照射される位置を変更できる。これにより、組織上で測定光を走査できる。
【００１８】
測定光路の光路長変化を伴って、測定光の照射条件が切替わる場合の一例として、被検眼と、対物光学系との間に、撮影範囲を変更するための光学系が挿脱される場合が考えられる。他の一例として、撮影範囲を変更するために導光光学系における一部の配置が変更される場合が考えられる。
【００１９】
＜参照光路＞
本実施形態のＯＣＴ光学系は、第１導波路と、第２導波路と、を含んでいる。第１導波路および第２導波路は、いずれも、参照光路の一部を形成する。第１導波路は、光分割器側に形成される。第２導波路は、第１導波路に対して、光検出器側に形成される。第１導波路と第２導波路とのそれぞれは、例えば、光ファイバによって形成されていてもよいし、他の部材又は媒介によって形成されてもよい。
【００２０】
本実施形態において、光分割器に対して反対側となる第１導波路の端部と、光検出器に対して反対側となる第２導波路の端部とは、第１導波路および第２導波路とは、直接的に、又は、間接的に、接続可能であってもよい。２つの端部が、一点で接することによって、直接的に接続される。また、２つの端部の間に、第３導波路（詳細は後述）が介在することによって、間接的に、２つの端部が接続される。本実施形態におけるＯＣＴ光学系は、例えば、第１導波路および第２導波路との間に介在される第３導波路の光路長（或いは、第３導波路の有無）に応じて、参照光路の全長を変更可能である。
【００２１】
ところで、従来の眼科用ＯＣＴ装置には、参照光路上、又は、測定光路上に、光路長を可変制御するためのデバイスである、オプティカルディレイライン（ＯＤＬ）等を備えるものが知られている。しかし、この種のデバイスは、被検眼の個体差による光路長の誤差を補正するために利用される。故に、従来は、被検眼の個体差を補正できる程度の範囲で光路長を可変できるデバイスが採用されているに過ぎなかった。可変できる範囲は、せいぜい数ｍｍ〜数十ｍｍ程度に過ぎない。つまり、参照光路の光路長を大きく変更することはできなかった。
【００２２】
これに対し、本実施形態では、第１導波路および第２導波路との間に介在される第３導波路の光路長（或いは、第３導波路の有無）に応じて、参照光路の全長を、従来の装置のＯＤＬによる調整範囲に対して、より大きく変更可能である。
【００２３】
第１導波路と第２導波路とのそれぞれの上記端部には、光コネクタが設けられていてもよい。光コネクタの一例として、ＦＣコネクタ、ＳＣコネクタ等が挙げられる。但し、光コネクタは、導波路間を接続し、接続関係を固定する部材であればよく、必ずしもこれらの部材に限定されない。なお、２つの光コネクタを接続する場合において、アダプタが介在されてもよい。
【００２４】
＜参照用アタッチメント＞
参照用アタッチメントは、少なくとも、第３導波路を含んでいる（例えば、図１，図６〜図９Ｂ参照）。第３導波路は、第１導波路と第２導波路との間で、両者に接続可能である。第３導波路は、第１導波路と第２導波路とに接続されることによって、ＯＣＴ光学系における参照光路の一部となる。第３導波路の一部又は全部は、例えば、光ファイバによって形成されていてもよいし、他の部材又は媒介によって形成されてもよい。
【００２５】
第１導波路と第２導波路とのそれぞれの端部に、光コネクタが設けられている場合、第３導波路の両端それぞれに、第１コネクタに対して着脱可能な第２コネクタが設けられていてもよい。光コネクタを利用することによって、第３導波路と、第１導波路および第２導波路とが、確実に接続されやすくなる。また、参照用アタッチメントの着脱作業が、容易となる。
【００２６】
参照用アタッチメントをＯＣＴ光学系へ装着する場合には、ＯＣＴ光学系に対して参照用アタッチメントが、固定部によって固定されることが好ましい。固定部は、ＯＣＴ光学系および参照用アタッチメントのうち少なくともいずれかが有していてもよいし、両者と別体であってもよい。上記のようにＯＣＴ光学系および参照用アタッチメントがそれぞれ、第１コネクタ，第２コネクタを有する場合、それらの光コネクタが、固定部を兼用し得る。
【００２７】
参照用アタッチメントは、第３導波路を収容するケースを備えていてもよい。この場合、第３導波路の端部は、ケース外に露出していてもよい。
【００２８】
＜分岐を持つ第３導波路＞
第３導波路は、１分岐光路と第２分岐光路との少なくとも２つに分岐していてもよい。第１分岐光路の光路長は、第２分岐光路の光路長と、互いに異なる。また、第３導波路が第１導波路と第２導波路とに接続された状態において、第１分岐光路を経た参照光と、第２分岐光路を経た参照光とは、同時に、又は、択一的に、検出器へ導かれてもよい。
【００２９】
ここで、第１分岐光路を経た参照光と、第２分岐光路を経た参照光とが、検出器へ同時に導かれる場合、２種類のスペクトル干渉信号が、検出器によって同時に検出されると考えられる。便宜上、２種類のスペクトル干渉信号を、それぞれ、第１干渉信号、第２干渉信号と称す。第１干渉信号は、第１分岐光路を経た参照光による干渉信号である。第２干渉信号は、第２分岐光路を経た参照光による干渉信号である。このとき、第１分岐光路を経た参照光と、第２分岐光路を経た参照光とは、それぞれ、干渉信号を得るうえで、十分な光量を得ることができると考えられる。元々、参照光は、ＯＣＴ光源からの光から測定光が差し引かれたものである。測定光路上には、光を大きく減衰させる要素として被検眼がある。しかし、参照光路上には、光量を大きく減衰させる要素が、不要である。故に、参照光が、第１分岐光路と第２分岐光路とに同時に導かれたとしても、第１分岐光路を経た光と、第２分岐光路を経た光と、のそれぞれが、測定光との干渉信号を得るうえで十分な光量を有している。この場合、第１分岐光路と、第２分岐光路とは、光路長が異なるので、例えば、第１の深さ領域から戻ってきた測定光との干渉信号と、第１の深さ領域とは異なる第２の深さ領域から戻ってきた測定光との干渉信号と、を、同時に得ることができる。ここで、第１の深さ領域と、第２の深さ領域とが、いずれも、被検眼内にあれば、深さ領域に関してより広範囲のＯＣＴデータを、まとめて得ることができる。
【００３０】
また、撮影範囲に関する測定光の照射条件を変更する際に、測定光の光路長が、被検眼のサイズに比べて大きく変更される場合が考えられる。その一例としては、測定光の照射条件を変更するために、測定光路上にアタッチメント（以下、「測定用アタッチメント」と称す）が挿脱される場合等があり得る。この場合、第１分岐光路と第２分岐光路との光路長差は、測定用アタッチメントの挿脱に伴う測定光路の光路長の変化量に応じて定められていてもよい。この場合、第１分岐光路を経た参照光による干渉信号と、第２分岐光路を経た参照光による干渉信号とのうち、一方の干渉信号の強度が良好に得られる場合に、他方の干渉信号の強度は十分に弱くなる。よって、撮影範囲に関する照射条件が切替わった前後いずれにおいても、所望の撮影範囲についてのＯＣＴデータが良好に得られる。
【００３１】
＜第１分岐光路と第２分岐光路との切換＞
また、第３導波路が、１分岐光路と第２分岐光路とに分岐されている場合において、参照用アタッチメントは、光分割器からの参照光が導かれる光路を、第１分岐光路と第２分岐光路との間で切り替えるスイッチ（駆動部の一例）を、有してよい。これにより、検出器において、第１分岐光路からの参照光による干渉信号と、第２分岐光路からの参照光による干渉信号と、のうち一方を選択的に検出可能であってもよい。
【００３２】
スイッチは、例えば、ＯＣＴ装置の制御部（プロセッサ）によって、導光光学系の状態（挿入状態／退避状態）に応じて切り替えられてもよい。すなわち、退避状態においては、光分割器からの参照光が第１分岐光路へ導かれ、挿入状態においては、光分割器からの参照光が第２分岐光路へ導かれるように、スイッチが駆動制御されてもよい。このような測定光路における光路長変化量の補償方法は、ノイズを低減するうえで、有利である。
【００３３】
＜第３導波路における光路長調整＞
第３導波路の光路長を調整するために駆動制御される光路長調整部を、参照用アタッチメントは更に有していてもよい。光路長調整部は、第３導波路の光路長を、所定の調整範囲の中で増減させる。光路長調整部が駆動制御されることで、測定光と参照光との光路長差が調整される。このような光路長調整部の一例として、光遅延線（オプティカルディレイライン：ＯＤＬ）が知られている。
【００３４】
＜スイッチ、ＯＤＬ等を有する参照用アタッチメントの電力および制御信号の供給について＞
参照用アタッチメントが、上記したように、スイッチおよびＯＤＬ等のようなデバイスを含む場合、外部電源からの電力を、デバイスへ供給するための導線が参照用アタッチメントへ設けられていてもよい。また、ＯＣＴ装置の制御部（プロセッサ）からの制御信号をデバイスへ入力するための導線が、参照用アタッチメントへ設けられていてもよい。併せて、各導線と、ＯＣＴ装置本体の端子と電気的に接続するための接続端子が、参照用アタッチメントに設けられていてもよい。
【００３５】
＜着脱方法＞
一般に、ＯＣＴ光学系は、装置内部に収容されているので、参照用アタッチメントを着脱するためには、装置の分解が必要と考えられる。このため、参照用アタッチメントを着脱して、ＯＣＴ光学系を調整する作業（以下、「着脱作業」と称する）を行う者を、以下、「作業者」と称する。着脱作業では、参照用アタッチメントの第３導波路が、ＯＣＴ光学系における第１導波路の端部と第２導波路の端部との間に挿脱されるように、参照用アタッチメントがＯＣＴ光学系に対して着脱される。
【００３６】
ここで、上記説明したＯＣＴ装置の初期状態（例えば、工場出荷時の状態）は、次の２通りのうちいずれかであると考えられるので、着脱作業を、初期状態毎に説明する。
【００３７】
＜第１の初期状態＞
第１の初期状態として、参照用アタッチメントが、予めＯＣＴ光学系に装着されていることが考えられる。このとき、作業者は、例えば、予め装着された参照用アタッチメントを、ＯＣＴ光学系から取り外し、新たな参照用アタッチメントへと交換する。
【００３８】
新たな参照用アタッチメントは、予め装着された参照用アタッチメントとは異なる第３導波路を持つ。例えば、新たな参照用アタッチメントの第３導波路は、予め装着された参照用アタッチメントの第３導波路とは、異なる光路長を有していてもよい。この場合において、少なくとも一方の参照用アタッチメントには、複数の第３導波路含まれていてもよい。このとき、交換される２つの参照用アタッチメントの中で、少なくとも１つの導波路が、他のいずれとも光路長が異なる。また、スイッチおよびＯＤＬ等の制御部によって駆動制御される要素の有無の点で、新たな参照用アタッチメントの第３導波路は、予め装着された参照用アタッチメントの第３導波路から、異なっていてもよい。
【００３９】
また、ＯＣＴ光学系の第１導波路の端部と、第２導波路の端部とが、直接的に接続可能であれば、着脱作業は、次のようなものであってもよい。すなわち、着脱作業では、作業者によって、予め装着された参照用アタッチメントが取り外された後、第１導波路と第２導波路との端部同士が接続されることで、参照光路の光路長が調整されてもよい。
【００４０】
＜第２の初期状態＞
第２の初期状態として、ＯＣＴ装置が参照用アタッチメントを有していない場合が考えられる。この場合、第１導波路と、第２導波路とが、分離可能な態様で、直接的に接続されている。
【００４１】
この場合、作業者は、第１導波路と第２導波路とを分離してから、その間に、第３導波路が挿入されるように、参照用アタッチメントを装着する。更に、この場合、後述の第５実施例で示すように、測定光路の光路長を延長させてもよい。第５実施例では、一例として、測定光路を形成するファイバ上に、一対の光コネクタが設けられている。測定光路の光路を延長する際には、光コネクタを分離して、その間に、光路延長アタッチメントを取り付ける。これにより、測定光路の光路長が延長される。光路延長アタッチメントの具体例として、パッチファイバ（パッチコードともいう）等が挙げられる。
【００４２】
このような着脱作業によって、作業者は、ＯＣＴ装置における撮影範囲を、容易に拡張または変更できる。
【００４３】
なお、ＯＣＴ光学系および参照用アタッチメントがそれぞれ、第１コネクタ，第２コネクタを有している場合は、適正に導波路同士を接続することが容易となる。故に、着脱作業における作業者の負担が軽減される。
「実施例」
以下、第１実施例として、図１から図５に示される光コヒーレンストモグラフィー（ＯＣＴ）装置を説明する。図１は、第１実施例のＯＣＴ装置を示している。
【００４４】
第１実施例のＯＣＴ装置は、眼底のＯＣＴデータの撮影に適している。
【００４５】
初期状態で、ＯＣＴ装置は、干渉光学系（本実施例のＯＣＴ光学系）１００に、参照用アタッチメント２００が予め装着されている。このとき、本実施例では、ＯＣＴ装置は、符号Ａで示す、画角切換アタッチメント１６０が装着されていない状態（退避状態）で、眼底のＯＣＴデータを取得できる。例えば、図３に示すような、眼底中心部についてのＯＣＴデータが得られる。
【００４６】
一方、参照用アタッチメント２００が装着された状態（装着状態）で、符号Ｂで示すように、画角切換アタッチメント１６０が装着されると、測定光路が延長されることによって、測定光路と参照光路との光路長差が、眼底に対応しなくなる。結果、眼底のＯＣＴデータを良好に取得できなくなる。
【００４７】
一方で、予め装着されていた参照用アタッチメント２００が、別の参照用アタッチメント２１０へと、作業者によって交換されることによって、画角切換アタッチメント１６０の装着状態で、眼底のＯＣＴデータを良好に取得できるようになる。つまり、例えば、図４に示すような、眼底中心部と眼底周辺部とを含む領域についてのＯＣＴデータを得ることができる。また、参照用アタッチメント２１０は、装着状態に対応した第３導波路のほかに、退避状態に対応した第３導波路を有する。その結果、退避状態での撮影も対応できる。このように、予め装着された参照用アタッチメント２００が、別の参照用アタッチメント２１０へ交換されることによって、ＯＣＴ装置は、装着状態および退避状態の両方において、眼底のＯＣＴデータを取得できる。
【００４８】
以下、第１実施例のＯＣＴ装置の詳細構成を説明する。
【００４９】
第１実施例に係るＯＣＴ装置は、例えば、スペクトルドメイン式ＯＣＴ（ＳＤ−ＯＣＴ）を基本的構成としている。
【００５０】
ＯＣＴ装置は、光源１０２、干渉光学系（ＯＣＴ光学系）１００、および、演算制御器（演算制御部）７０（図２参照）を含む。図２に示すように、ＯＣＴ装置には、その他、メモリ７２、表示部７５、図示無き正面像観察系及び固視標投影系が設けられてもよい。演算制御器（以下、制御部）７０は、光源１０２、干渉光学系１００、メモリ７２、および、表示部７５に接続されている。
【００５１】
干渉光学系１００は、導光光学系１５０によって測定光を眼Ｅに導く。干渉光学系１００は、参照光学系１１０に参照光を導く。干渉光学系１００は、眼Ｅによって反射された測定光と参照光との干渉、によって取得される干渉信号光を検出器（受光素子）１２０に受光させる。なお、干渉光学系１００は、図示無き筐体（装置本体）内に搭載され、ジョイスティック等の操作部材を介して周知のアライメント移動機構により眼Ｅに対して筐体を３次元的に移動させることによって被検眼に対するアライメントが行われてもよい。
【００５２】
干渉光学系１００には、ＳＤ−ＯＣＴ方式が用いられる。光源１０２としては低コヒーレント長の光束を出射するものが用いられ、検出器１２０として、スペクトル干渉信号を波長成分ごとに分光して検出する分光検出器が用いられる。
【００５３】
カップラ（スプリッタ）１０４は、第１の光分割器として用いられ、光源１０２から出射された光を測定光路と参照光路に分割する。カップラ（Fiber Coupler）１０４は、例えば、光源１０２からの光を測定光路側の光ファイバ１５２に導光すると共に、ファイバ１０６を介して参照光路側に導光する。
【００５４】
＜導光光学系＞
導光光学系１５０は、測定光を眼Ｅに導くために設けられる。導光光学系１５０には、例えば、光ファイバ１５２、コリメータレンズ１５４、可変ビームエキスパンダ１５５、光スキャナ１５６、及び、対物レンズ系１５８（本実施例における対物光学系）が順次設けられてもよい。この場合、測定光は、光ファイバ１５２の出射端から出射され、コリメータレンズ１５４によって平行ビームとなる。その後、可変ビームエキスパンダ１５５によって所望の光束径となった状態で、光スキャナ１５６に向かう。光スキャナ１５６を通過した光は、対物レンズ系１５８を介して、眼Ｅに照射される。対物レンズ系１５８に関して光スキャナ１５６と共役な位置に、第１の旋回点Ｐ１が形成される。この旋回点Ｐ１に前眼部が位置することで、測定光はケラレずに眼底に到達する。また、光スキャナ１５６の動作に応じて測定光が眼底上で走査される。このとき、測定光は、眼底の組織によって散乱・反射される。
【００５５】
光スキャナ１５６は、眼Ｅ上でＸＹ方向（横断方向）に測定光を走査させてもよい。光スキャナ１５６は、例えば、２つのガルバノミラーであり、その反射角度が駆動機構によって任意に調整される。光源１０２から出射された光束は、その反射（進行）方向が変化され、眼底上で任意の方向に走査される。光スキャナ１５６としては、例えば、反射ミラー（ガルバノミラー、ポリゴンミラー、レゾナントスキャナ）の他、光の進行（偏向）方向を変化させる音響光学素子（ＡＯＭ）等が用いられてもよい。
【００５６】
測定光による眼Ｅからの散乱光（反射光）は、投光時の経路を遡って、光ファイバ１５２へ入射され、カップラ１０４に達する。カップラ１０４は、光ファイバ１５２からの光を、検出器１２０に向かう光路へと導く。
【００５７】
第１実施例では、ファイバ１５２および導光光学系１５０を介してカップラ１０４から被検眼Ｅの眼底までを往復する光路と、ファイバ１０５による光路と、による光路長が、測定光路の光路長として、考慮すべき部分となる。
＜画角切換アタッチメント＞
次に、画角切換アタッチメント１６０について説明する。画角切換アタッチメント１６０は、一例として、ＯＣＴ装置の筐体面に対して着脱される。アタッチメント光学系１６０ａを含む鏡筒が、本実施例における画角切換アタッチメント１６０であってもよい。画角切換アタッチメント１６０が着脱されることで、対物光学系１５８と被検眼Ｅとの間において、アタッチメント光学系１６０ａが挿脱される。
【００５８】
アタッチメント光学系１６０ａは複数のレンズ１６１〜１６４を含んでいてもよい。ここで、図１に示したアタッチメント光学系１６０ａにおいて主要な正のパワーを持つレンズは、被検眼の眼前に置かれたレンズ１６４である。少なくともレンズ１６４の挿脱位置は、対物光学系１５８によって形成される第１旋回点Ｐ１と被検眼Ｅとの間となっている。第１旋回点Ｐ１を通過した測定光を少なくともレンズ１６４が光軸Ｌに向けて折り曲げることで、アタッチメント光学系１６０ａおよび対物光学系１５８に関して光スキャナ１５６と共役な位置に第２旋回点Ｐ２が形成される。つまり、アタッチメント光学系１６０ａは、旋回点Ｐ１を旋回点Ｐ２へリレーする光学系である。
【００５９】
本実施例において、第２旋回点Ｐ２における測定光の立体角は、第１旋回点Ｐ１における立体角に比べて大きくなる。例えば、第２旋回点Ｐ２での立体角は、第１旋回点Ｐ１における立体角に対して２倍以上に増大される。本実施例では、退避状態において６０°程度の画角で走査可能であり、挿入状態では、１００°程度の画角で走査可能となる。
【００６０】
可変ビームエキスパンダ１５５は、実施例における光束径調整部である。一例として、可変ビームエキスパンダ１５５は、両側テレセントリック光学系を形成する複数のレンズを有し、レンズ間隔がアクチュエータによって変化されることで、光束径を切換える構成であってもよい。可変ビームエキスパンダ１５５は、制御部７０からの指示に基づいて測定光の光束径を調整する。
【００６１】
仮に、挿入状態と退避状態との間で、可変ビームエキスパンダ１５５から光スキャナ１５６へ導かれる測定光の光束径が一定であるとすると、眼底上での測定光のスポットサイズは画角と比例するので、挿入状態では退避状態に比べて解像力が低下してしまう。そこで、本実施例では、制御部７０は、アタッチメント光学系の挿脱に応じて、可変ビームエキスパンダ１５５を駆動し、挿入状態での光束径を、退避状態に対して縮小する。挿入状態と退避状態とにおける光束径（可変ビームエキスパンダ１５５における光束径）の比は、挿入状態と退避状態とにおける画角の逆比であることで、アタッチメント光学系１６０ａの挿脱に基づく解像力の変化を抑制できる。
【００６２】
ところで、十分な作動距離を確保するために、アタッチメント光学系１６０ａは、十分な光線高さの位置から測定光が光軸Ｌに向けて折り曲げられる必要がある。また、アタッチメント光学系１６０ａで生じる収差を許容範囲に抑制するためには、アタッチメント光学系１６０ａに含まれる各々のレンズのパワーに制限がある。故に、アタッチメント光学系１６０ａの光路長を短くすることは困難である。
【００６３】
従来のＯＣＴ装置において、参照光と測定光との光路長差を調整する構成は存在しているものの、アタッチメント光学系１６０ａの挿脱に適用できるような調整範囲を持つものは存在しなかった。例えば、従来、眼底撮影ＯＣＴに、光学アダプタを装着して前眼部撮影を可能とするものが知られている（例えば、本出願人による「日本国特開２０１１−１４７６１２号公報」等を参照されたい）。しかし、この光学アダプタは、装置本体の光学系によって形成された旋回点のリレーを行うものでは無く、また、走査範囲を広角化する要請も無いので、比較的短い光路長で形成できる。更に、光学アダプタの挿入に伴い、像面の位置が眼底から前眼部へ変移する。それ故、光学アダプタの挿入に伴って、光路長差を大きく調整する必要が無かった。
＜参照光学系＞
参照光学系１１０は、測定光の眼底反射光と合成される参照光を生成する。参照光学系１１０を経由した参照光は、カップラ（Fiber Coupler）１４８にて測定光路からの光と合波されて干渉する。参照光学系１１０は、マイケルソンタイプであってもよいし、マッハツェンダタイプであってもよい。
【００６４】
図１に示す参照光学系１１０は、透過光学系によって形成されている。この場合、参照光学系１１０は、カップラ１０４からの光を戻さず透過させることにより検出器１２０へと導く。これに限らず、参照光学系１１０は、例えば、反射光学系によって形成され、カップラ１０４からの光を反射光学系により反射することによって、検出器１２０に導いてもよい。
【００６５】
カップラ１０４からカップラ１４８までの連続した光路の光路長が、本実施例における参照光路の光路長として、考慮すべき部分である。参照光路は、第１導波路、第２導波路、および、第３導波路に大別される。このうち、第１導波路と第２導波路とは、干渉光学系１００に設けられている。図１に示すように、干渉光学系１００が有する参照光路のうち、カップ１０４側に形成されるものを第１導波路と称しており、光検出器１２０側に形成されるものを第２導波路と称している。一方、第３導波路は、参照用アタッチメント２００および参照用アタッチメント２１０に設けられている。
【００６６】
図１における第１導波路には、カップラ１０４，ファイバ１０６，および，コネクタ１０８，が含まれる。コネクタ１０８は、第１導波路において、カップラ１０４とは反対側の端部に設けられている。後述するように、コネクタ１０８は、参照用アタッチメント２００のコネクタ２０１、および、参照用アタッチメント２１０のコネクタ２１１に対して着脱可能である。
【００６７】
図１における第２導波路には、コネクタ１３１，ファイバ１３３，ＯＤＬ１３５，ファイバ１３７，アッテネータ１４１，ファイバ１４３，偏波調整器１４５，ファイバ１４７，および，カップラ１４８が含まれる。後述するように、コネクタ１３１は、参照用アタッチメント２００のコネクタ２０５、および、参照用アタッチメント２１０のコネクタ２１７に対して着脱可能である。
【００６８】
ＯＤＬ１３５は、測定光と参照光との光路長差を調整するために駆動制御される。一例として、ＯＤＬ１３５は、直交した２つの面を持つミラー１３５ａと、アクチュエータ１３５ｂと、を含む。アクチュエータ１３５ｂによって矢印方向に移動されることによって、参照光路の光路長を増減できる。
【００６９】
勿論、測定光と参照光との光路長差が調整する構成は、これに限られるものでは無い。例えば、導光光学系１５０において、コリメータレンズ１５４とファイバ１５２の出射端とが一体的に移動されることで、測定光の光路長が調整され、結果として、測定光と参照光との光路長差が調整されてもよい。
【００７０】
アッテネータ１４１は、参照光の光量を減衰する。アッテネータ１４１によって、測定光と参照光との光量バランスが調整される。
【００７１】
偏波調整器１４５は、参照光の偏光を調整する。偏波調整器１４５によって、測定光と参照光との偏光のズレが補正される。
【００７２】
次に、図１に示す第３導波路２００，２１０について説明する。前述の通り、第３導波路は、参照用アタッチメント２００および参照用アタッチメント２１０に設けられている。
【００７３】
＜初期状態で装着されている参照用アタッチメント２００＞
参照用アタッチメント２００は、コネクタ２０１，ファイバ２０３，および，コネクタ２０５を有する。一本のファイバ２０３の両端に、コネクタ２０１、および、コネクタ２０５が取り付けられている。これによって、単一の第３導波路が形成される。
【００７４】
参照用アタッチメント２００は、コネクタ２０１が、干渉光学系１００のコネクタ１０８へ装着されることによって、第３導波路が干渉光学系１００における第１導波路と接続される。また、コネクタ２０５が、干渉光学系１００のコネクタ１３１へ装着されることによって、第３導波路が干渉光学系１００における第２導波路と接続される。
【００７５】
ファイバ２０３の光路長は、画角切換アタッチメント１６０の退避状態における測定光路の光路長と、第１導波路および第２導波路の光路長との差分が、と略一致する。結果として、画角切換アタッチメント１６０の退避状態において、眼底を含む深さ領域に関し、良好な干渉信号が得られる。
【００７６】
＜交換作業によってＯＣＴ装置へ装着される参照用アタッチメント２１０＞
参照用アタッチメント２１０は、２つに分岐した第３導波路を有する。分岐した導波路の一方を、第１分岐光路と称し、他方を第２分岐光路と称する。第１分岐光路と第２導波路とは互いに異なる光路長を持つので、第１分岐光路を経る第３導波路と、第２分岐光路を経る第３導波路と、の間で、光路長が異なっている。
【００７７】
参照用アタッチメント２１０は、一例として、コネクタ２１１、ファイバ２１２、カップラ２１３、ファイバ２１４、カップラ２１５、ファイバ２１６、コネクタ２１７、および、ファイバ２１８、を含む。
【００７８】
コネクタ２１１およびファイバ２１２を経由した参照光は、カップラ２１３によって、ファイバ２１４と、ファイバ２１８と、にそれぞれ導かれる。便宜上、以下では、ファイバ２１８による光路を、第１分岐光路と称し、ファイバ２１４による光路を、第２分岐光路と称する。ファイバ２１４およびファイバ２１８は、カップラ２１５に接続されている。これにより、２つの分岐光路は、ファイバ２１６を通る光路に結合され、コネクタ２１７へと導かれる。
【００７９】
このように、参照用アタッチメント２１０において、カップラ２１３は、ファイバ２１４とファイバ２１８とに（つまり、２つの分岐光路）へ、同時に参照光を導く。また、２つの分岐光路を経た参照光は、コネクタ２１７およびコネクタ１３１を介して、ＯＣＴ光学系１００のカップラ１４８へ同時に導かれ、カップラ１４８において測定光（眼底反射光）と合波される。
【００８０】
ここで、参照用アタッチメント２１０において、第１分岐光路を経る（つまり、ファイバ２１８を経る）第３導波路は、参照用アタッチメント２００における第３導波路の光路長と一致しているものとする。つまり、第１分岐光路は、画角切換アタッチメント１６０の退避状態での撮影に利用される。
【００８１】
一方、第２分岐光路は、画角切換アタッチメント１６０の挿入状態での撮影に利用される。第２分岐光路の光路長（つまり、ファイバ２１４の光路長）は、画角切換アタッチメント１６０の光路長（より詳細には、往復の光路長。以下同様）分だけ、第１分岐光路の光路長（つまり、ファイバ２１８の光路長）よりも長くなっている。
【００８２】
なお、第１分岐光路と第２分岐光路それぞれの光量を補正するために、第１分岐光路と第２分岐光路のいずれかまたは両方に、図示なきアッテネータが設けられてもよい。本実施例では画角切換アタッチメント１６０の挿入状態において、測定光の光量がアタッチメント１６０によって変化されるので、挿入状態と対応した第２分岐光路上にアッテネータが設けられることが好ましい。
【００８３】
また、第１実施例では、干渉光学系１００の第２導波路上、つまりは、第１分岐光路と第２分岐光路との共通光路上に、参照光路調整部１３５が設けられている。これによって、第１分岐光路および第２分岐光路の両方に関して一括して、眼軸長の個人差に関する光路長差であって、測定光路と参照光路との光路長差を調整できる。
【００８４】
なお、参照光路調整部１３５における光路長の調整範囲は、ファイバ２１４ファイバ２１８との光路長差（換言すれば、第１分岐光路と第２分岐光路との間における光路長差）に対して十分短く設定されることが好ましい。
＜光検出器＞
検出器１２０は、測定光路からの光と参照光路からの光による干渉を検出するために設けられている。第１実施例において、検出器１２０は、分光検出器であって、例えば、分光器と、ラインセンサとを含み、カップラ１４８によって合波された測定光と参照光とが、分光器で分光され、波長毎にラインセンサの異なる領域（画素）に受光される。これによって画素毎の出力が、スペクトル干渉信号として取得される。
【００８５】
眼底の湾曲と測定光の結像面とは必ずしも一致しておらず、アタッチメント光学系１５０の挿入状態では、眼底中心部または眼底周辺部の少なくとも一方において、両者の乖離が増大するので、光検出器においては、当該乖離を考慮した十分なDepth rangeが確保されていることが好ましい。例えば、ＳＤ−ＯＣＴでは、所期するDepth rangeに対して十分な画素数のラインカメラが採用されることが好ましい。また、＜変形例＞として後述する構成が更に採用されてもよい。
＜深さ情報の取得＞
制御部７０は、検出器１２０によって検出されたスペクトル信号を処理（フーリエ解析）し、被検眼のＯＣＴデータを得る。
【００８６】
スペクトル信号（スペクトルデータ）は、波長λの関数として書き換えられ、波数ｋ（＝２π／λ）に関して等間隔な関数Ｉ（ｋ）に変換されてもよい。あるいは、初めから波数ｋに関して等間隔な関数Ｉ（ｋ）として取得されてもよい（Ｋ―ＣＬＯＣＫ技術）。演算制御器は、波数ｋ空間でのスペクトル信号をフーリエ変換することにより深さ（Ｚ）領域におけるＯＣＴデータを得てもよい。
【００８７】
さらに、フーリエ変換後の情報は、Ｚ空間での実数成分と虚数成分を含む信号として表されてもよい。制御部７０は、Ｚ空間での信号における実数成分と虚数成分の絶対値を求めることによりＯＣＴデータを得てもよい。
【００８８】
ここで、第３導波路が２つに分岐された参照用アタッチメント２１０が、干渉光学系１００へ装着される場合における干渉信号について説明する。
【００８９】
この場合、カップラ１４８には、第１分岐光路を経由した参照光と、第２分岐光路を経由した参照光とが、同時に導かれており、各々が測定光と合波される。第１分岐光路と第２分岐光路との間には、画角切換アタッチメント１６０の光路長（アタッチメント光学系１６０ａの光路長）と同程度という、大きな光路長差が存在している。このため、第１分岐光路を経由した参照光と、第２分岐光路を経由した参照光とのうち、一方は、測定光との干渉が生じやすいものの、残り一方は、干渉が生じ難い。検出器１２０からのスペクトル干渉信号には、第１分岐光路を経由した参照光による成分と、第２分岐光路を経由した参照光による成分と、が含まれているものの、２種類の成分のうち、導光光学系１５０の状態に応じた一方が、他方に比べて際立って強い信号として得られる。結果、導光光学系１５０の状態にかかわらず、良好なＯＣＴデータを得ることができる。つまり、画角切換アタッチメント１６０に対応する光路長差を持つ、複数の参照光路を有することで、実施例に係るＯＣＴ装置は、測定光路における光路長差の変化量であって、画角切換アタッチメント１６０の着脱に伴う変化量が、画角切換アタッチメント１６０の着脱状態にかかわらず補償される。
【００９０】
なお、参照光路調整部１３５を制御し、測定光路と参照光路との光路長差であって、被検眼Ｅの眼軸長に関する光路長差を、事前に調整しておく必要がある。第１実施例では、例えば、予め定められた調整範囲でミラー１３５ａを移動させると共に、各位置での干渉信号を取得し、干渉信号の強度が最も高くなる位置を基準として、ミラー１３５ａの位置を定めるようにしてもよい。参照光路調整部１３５における光路長の調整範囲が、第１分岐光路と第２分岐光路との間における光路長差）に対して十分小さい場合は、参照光路調整部１３５の調整範囲において、干渉信号の強度ピークとなる位置は、一義的に特定されうる。
【００９１】
なお、画角切換アタッチメント１６０の着脱を自動的に検出する挿脱検出部が設けられていてもよく、検出部からの検出信号に基づいて、制御部は、ＯＣＴ光学系１００における各部の制御、処理を実行してもよい。例えば、上記した、可変ビームエキスパンダ１５５による光束径の切換制御、参照光路調整部１３５によるゼロディレイ位置の設定制御、測定光路と参照光との間における光学系の分散量の変更処理、等が適宜実行されてもよい。挿入検出部としては、対物光学系１５８の近傍に配置されたセンサであってもよい。
【００９２】
勿論、検者が、ＯＣＴ装置のＵＩ（ユーザインターフェース）に対して、導光光学系の状態（アタッチメント光学系の挿入状態／退避状態）を特定する情報を入力することで、当該情報に基づいて、制御部がＯＣＴ光学系１００における各部の制御、処理を実行してもよい。
【００９３】
＜ケース＞
図５に示すように、参照用アタッチメント２００，２１０は、それぞれ、ケース２００ｂ，２１０ｂを有していてもよい。ケース２００ｂ，２１０ｂは、少なくとも各種のファイバおよびカップラが収容される。また、本実施例において、干渉光学系１００におけるカップラ１０４からカップラ１４８までの各部を収容するケース１００ｂを、ＯＣＴ装置は有してもよい。但し、ＯＣＴ光学系１００と参照用アタッチメント２００，２１０との間でコネクタを着脱するために、例えば、コネクタ１０８，１３１、コネクタ２０１，２０５、コネクタ２１１，２１７の一部または全部が、ケースの外に露出されていてもよい。干渉光学系１００および参照用アタッチメント２００，２１０におけるファイバ類がケース１００ｂ，２００ｂ，２１０ｂへ収容されていることによって、着脱作業や、参照用アタッチメント２００，２１０の運搬の際に、各部が良好に保護される。
【００９４】
＜キャリブレーション＞
なお、第１分岐光路と第２分岐光路との光路長差は、既知の値であることから、例えば、深さ方向に関するキャリブレーションに利用されてもよい。例えば、模型眼等の所定の試料が撮影され、第１分岐光路を経た参照光によるＯＣＴデータと、第２分岐光路を経た参照光によるＯＣＴデータと、の深さ方向に関する間隔が求められる。この間隔が光路長差に応じた所定の値となるように、ＯＣＴデータの深さ方向の縮尺が調整されてもよい。
【００９５】
＜第２実施例＞
次に、図６を参照して、第２実施例について説明する。図６は、第２実施例に係る参照用アタッチメント２２０を示している。なお、第１実施例と同一の部材については、同一の符号を付し、詳細については省略する。
【００９６】
第２実施例に係る参照用アタッチメント２２０は、その一部が、第１実施例に係る参照用アタッチメント２１０と異なっている。前述のように、第１実施例に係る参照用アタッチメント２１０は、検出器１２０へ、第１分岐光路を経由した参照光と、第２分岐光路を経由した参照光とを、同時に導く。これに対し、第２実施形態に係る参照用アタッチメント２１０は、第１分岐光路を経由した参照光と、第２分岐光路を経由した参照光とを、選択的に検出器１２０へ導く。
【００９７】
詳細には、第１実施例におけるカップラ２１３に代えて、第２実施例では、光スイッチ２２０が設けられている。光スイッチ２２０は、例えば、メカニカル式のスイッチであってもよいし、ＭＥＭＳスイッチであってもよい。光スイッチ２２０は、第１分岐光路を形成する光ファイバ２１８と、第２分岐光路を形成する光ファイバ２１４と、のいずれか一方へ、択一的にコネクタ２１１およびファイバ２１２を経た参照光を導くために利用される。第２実施例では、第１の分岐光路と第２の分岐光路とのいずれかへ、択一的に参照光が導かれるので、第１実施例と比べて、より十分な光量の参照光を確保できる。また、干渉信号におけるノイズが軽減される。
【００９８】
＜第３実施例＞
次に、図７を参照して、第３実施例について説明する。図７は、第３実施例に係る参照用アタッチメント２３０を示している。第１実施例および第２実施例で開示した参照用アタッチメントは、第３導波路の光路長が予め定められていたが、第３実施例の参照用アタッチメント２３０は、第３導波路の光路長を、任意の長さに調整できる。ＯＣＴ装置における撮影範囲の自由度が、より一層、向上する。
【００９９】
第３アタッチメント２３０は、コネクタ２３１、ＯＤＬユニット２３５、コネクタ２３７を有している。ＯＤＬユニット２３５は、直交した２つの面を持つミラー２３５ａと、アクチュエータ２３５ｂと、を含む。ミラー２３５ａが、アクチュエータ２３５ｂによって矢印方向に移動されることによって、第３導波路の光路長が増減される。第３アタッチメント２３０には、更に、ファイバ等が含まれていてもよい。
【０１００】
＜第４実施例＞
次に、図８Ａ，図８Ｂを参照して、第４実施例を説明する。上記実施例において、第１ないし第３導波路の各端部には、光コネクタが設けられていた。第４実施例では、光コネクタを用いることなく、各導波路が接続される。
【０１０１】
図８Ａ，図８Ｂは、第４実施例に係る参照用アタッチメント２４０，２５０と、干渉光学系１００における第１導波路、および、第２導波路の端部を示している。ここで、図８Ａに示す参照用アタッチメント２４０は、第１実施例における参照用アタッチメント２００と対応している。図８Ｂに示す参照用アタッチメント２５０は、第１実施例における参照用アタッチメント２１０と対応している。つまり、参照用アタッチメント２５０は、２つに分岐された第３導波路を有している。
【０１０２】
図８Ａ，図８Ｂに示すように、第１導波路を形成するファイバ１０６の端部（例えば、切口）、および、第２導波路を形成するファイバ１３３の端部は、参照用アタッチメント２４０，２５０の着脱に関わらず、空気中に露出している。各端部は、ケース１００ｂ内において位置決めされていてもよい。なお、干渉光学系１００には、更に、コリメート用のレンズ１０９，１３０を有する。ファイバ１０６からの参照光は、コリメートレンズ１０９を介して、参照用アタッチメント２４０，２５０へ出射される。参照用アタッチメント２４０，２５０がケースを備える場合、ケースには、参照光を、通過させるための開口２４５，２４６，２５５，２５６が設けられていてもよい（図８Ａ，図８Ｂ参照）。
【０１０３】
参照用アタッチメント２４０，２５０の第３導波路からの参照光は、レンズ１３０を介して、ファイバ１３３の端部へ入射される。
【０１０４】
図８Ａに示すように、参照用アタッチメント２４０は、ミラー２４１，２４２を少なくとも有する。２つのミラー２４１，２４２が、参照用アタッチメント２４０のケース内で、参照光を折り返す光路を形成する。この光路が、参照用アタッチメント２４０における第３導波路となる。
【０１０５】
図８Ｂに示すように、参照用アタッチメント２５０は、ハーフミラー２５１，２５２、および、ミラー２５３，２５４を少なくとも有する。これにより、２つハーフミラー２５１，２５２で折り返される光路と、２つのミラー２５３，２５４で折り返される光路との２つの光路が形成される。２つのハーフミラー２５１，２５２によって、第３導波路は、第１導波路と第２導波路とに分岐される。ハーフミラー２５１の反射側の光路が、第１分岐光路であり、透過側の光路が、第２分岐光路である。各々のハーフミラー２５１，２５２によって、第１分岐光路を経た参照光と、第２分岐光路を経た参照光と、の光量比が調整される。すなわち、所望の光量比が実現されるように、ハーフミラー２５１，２５２の分岐比が定められていてもよい。この場合、第１分岐光路を経た参照光と、第２分岐光路を経た参照光と、の光量比を調整するうえで、アッテネータが不要となる。言い換えると、画角切換アタッチメント１６０の挿入状態と退避状態との間における、測定光と参照光との光量比の変化が、ハーフミラー２５１，２５２の分岐比に応じて補正される。
【０１０６】
＜第５実施例＞
次に、図９Ａ，図９Ｂを参照して、第５実施例を説明する。図９Ａは、第５実施例におけるＯＣＴ装置の初期状態を示し、図９Ｂは、第５実施例におけるＯＣＴ装置に、参照用アタッチメント２１０が装着された状態を示す。第５実施例において、参照用アタッチメント２１０における各部は、第１実施例と同様である。一方、第５実施例は、干渉光学系１００に関して、次の２点が、第１実施例と異なっている。
【０１０７】
１点目として、図９Ａに示すように、第５実施例では、ＯＣＴ装置の初期状態において、参照光路を形成する第１導波路と第２導波路とが、直接的に接続される。つまり、初期状態では、コネクタ１０８とコネクタ１３１とが接続される。第５実施例では、この状態において、さらに、画角切換アタッチメント１６０が装着されていないときに、眼底のＯＣＴデータが撮影される。換言すると、第４実施形態では、第１実施形態に対して干渉光学系１００における少なくとも一部の光路長が異なっている。
【０１０８】
このような初期状態のＯＣＴ装置に対して、第１実施例と同様の参照用アタッチメント２１０が装着される。つまり、参照用アタッチメント２１０は、第１分岐光路と第２分岐光路とを有する第３導波路を持つ。第１分岐光路と第２分岐光路との間には、画角切換アタッチメント１６０の光路長に対応する光路長差が存在する。但し、第４実施形態では、参照用アタッチメント２１０を装着する前後におけるコネクタ１０８とコネクタ１３１との間の光路長の変化量が、第１実施例に比べて大きい。詳細には、第１分岐光路を経る第３導波路の光路長分だけ、変化量が大きくなっている。第１実施例と同様に、画角切換アタッチメント１６０の着脱に関わらず眼底のＯＣＴデータを良好に得るためには、この変化量が、補償される必要がある。
【０１０９】
そこで、２点目の相違点として、第５実施例におけるＯＣＴ装置は、コネクタ１６１，コネクタ１６２を有する。第５実施例では、カップラ１０４に接続されるファイバ１５２が、コネクタ１６１，コネクタ１６２を介して、ファイバ１５２ａとファイバ１５２ｂとに分離され得る。
【０１１０】
これにより、コネクタ１６１とコネクタ１６２との間に、図９Ｂに示すように、光路延長アタッチメント３００を取り付けることができる。光路延長アタッチメント３００は、例えば、パッチファイバであってもよい。図９Ｂにおいて、光路延長アタッチメント３００は、ファイバ３０３と、ファイバ３０３の両端に設けられたコネクタ３０１，コネクタ３０２とを備える。コネクタ３０１，３０２は、コネクタ１６１，１６２と、それぞれ着脱できる。光路延長アタッチメント３００の光路長は、参照用アタッチメント２１０における第１分岐光路を経る第３導波路の光路長と略一致している。故に、第５実施例では、初期状態に対して、参照用アタッチメント２１０と共に、光路延長アタッチメント３００を装着することで、第１実施例と同様に、画角切換アタッチメント１６０を装着したとき、退避したとき、のいずれにおいても、眼底を良好に撮影できる。
【０１１１】
＜その他の変容例＞
以上、実施形態および実施例に基づいて、本開示を説明した。但し、本開示は、必ずしも上記実施形態および実施例に限定されるものではなく、種々の変容例を含む。
【０１１２】
＜挿入状態に対応して、複数の参照光路を形成＞
例えば、第１，第２，第４，第５実施例では、画角切換アタッチメント１６０の挿入状態と対応する参照光路は、１つだけ設けられている。しかし、これに限定されるものでは無く、挿入状態と対応する参照光路は、複数形成されていてもよい。詳細には、眼底中心部を含むＯＣＴデータを得るために設定された光路長を有する第１の参照光路と、眼底周辺部を含むＯＣＴデータを得るために設定された光路長を有し第１の参照光路とは異なる第２の参照光路と、が、挿入状態と対応する参照光路として形成されていてもよい。導光光学系の状態毎に（ここでは、画角切換光学系の挿入状態と退避状態との２種類の状態毎に）、それぞれの状態に対応する参照光路が設けられている場合、ＯＣＴ光学系には、３つ以上の参照光路が設けられることとなる。
【０１１３】
第１の参照光路と第２の参照光路との光路長差は、眼底中心部と眼底周辺部との間での測定光の光路長差に対応して設定されてもよい。なお、眼球の湾曲を考慮し、例えば、第２の参照光路の光路長が、第１の参照光路の光路長に比べて、より短く設定されてもよい。
【０１１４】
この場合、例えば、画像処理器は、眼底中心部に導かれた測定光と第１の参照光路からの参照光との干渉信号に基づいて眼底中心部を含むＯＣＴデータを得てもよいし、眼底周辺部に導かれた測定光と第２の参照光路からの参照光との干渉信号に基づいて眼底周辺部を含むＯＣＴデータを得てもよい。この場合、例えば、眼底中心部を含むＯＣＴデータと、眼底周辺部を含むＯＣＴデータは、横断方向と深さ方向との少なくともいずれかに関して連続してもよい。
【０１１５】
これによれば、例えば、眼底中心部に対応する参照光路と眼底周辺部に対応する参照光路が設けられることによって、例えば、広角領域におけるＯＣＴデータを良好な信号強度にて取得できる。
【０１１６】
なお、画像処理器は、眼底中心部を含むＯＣＴデータと前記眼底周辺部を含むＯＣＴデータとを合成して、被検眼の眼底の広角ＯＣＴデータを得てもよい（図４参照）。これによって、一枚の広角ＯＣＴデータを得ることができる。
【０１１７】
この場合、光走査部は、眼底上において測定光を一つの走査方向に走査することによって、眼底中心部と眼底周辺部を含む広角領域を走査してもよい。この場合、例えば、眼底中心部での走査領域と眼底周辺部での走査領域は、横断方向に連続してもよい。また、光走査部は、例えば、眼底上の広角領域を走査可能な走査角度まで測定光を走査できるように構成されてもよい。また、光走査部は、例えば、被検眼の瞳孔と略共役位置に配置され、瞳孔中心を旋回点として測定光を測定してもよい。
【０１１８】
光走査部が設けられる場合、光走査部による１回のＢスキャンによって、眼底中心部と眼底周辺部を含む広角領域に測定光を走査し、眼底中心部を含むＯＣＴデータと眼底周辺部を含むＯＣＴデータが取得されてもよい。これによって、例えば、広角領域におけるＯＣＴデータをスムーズに取得できる。
【０１１９】
ＯＣＴ光学系は、例えば、眼底中心部に対応する第１の検出器と、眼底周辺部に対応する第２の検出器とを備えてもよい。この場合、第１の検出器では、眼底中心部に導かれた測定光と第１の参照光路からの参照光との干渉信号を検出するために利用される。また、第２の検出器は、第１の検出器とは異なる検出器であって、眼底周辺部に導かれた測定光と第２の参照光路からの参照光との干渉信号を検出するために利用される。このような構成によれば、例えば、第１の検出器と第２の検出器を並列的に用いることができる。その結果、眼底中心部と眼底周辺部のＯＣＴデータを確実に検出できると共に、各ＯＣＴデータをスムーズかつ良好な信号強度にて取得できる。
【０１２０】
上記実施形態では、眼底中心部と眼底周辺部に対応する２つの参照光路を設ける場合を説明したが、これに限定されず、３つ以上の参照光路が設けられてもよい。一例として、眼底中心部と、第１の眼底周辺部と、第２の眼底周辺部とに、眼底全体が３分割された場合を挙げる。第１の眼底周辺部は、眼底中心部よりも外側であり、第２の眼底周辺部は、第１の眼底周辺部よりも更に外側である。
【０１２１】
この場合、例えば、眼底中心部に対応する第１の参照光路と、第１の眼底周辺部に対応する第２の参照光路と、第２の眼底周辺部に対応する第３の参照光路と、がＯＣＴ光学系に設けられてもよい。
【０１２２】
また、例えば、２つの参照光路の光路長を制御して、第１の広角撮影モードと、第２の広角撮影モードとの間で、光学系を切換えてもよい。例えば、第１の広角撮影モードでは、第１の参照光路における光路長が眼底中心部に対応して設定されると共に、第２の参照光路における光路長が第１の眼底周辺部に対応して設定される。一方、第２の広角撮影モードでは、第１の参照光路における光路長が眼底中心部又は第１の眼底周辺部に対応して設定されると共に、第２の参照光路における光路長が第２の眼底周辺部に対応して設定される。
＜反射系（ミラー系）による画角切換光学系＞
上記実施形態では、画角切換光学系は少なくとも１つのレンズを含むものとして説明したが、必ずしもこれに限られるものでは無い。画角切換光学系は、ミラー系（ミラー群）であってもよい。より詳細には、画角切換光学系は、１枚以上のミラーを有する非共軸系のミラー系（ミラー群）であってもよい。この場合も、画角切換光学系の挿脱に伴って、測定光路おける光路長が変化するので、補償部による光路長の補償は有効である。
【０１２３】
なお、上記説明においては、ＳＤ−ＯＣＴの実施例を示したが、これに限定されず、ＳＳ−ＯＣＴにおいて本実施例が適用されてもよい。
【０１２４】
なお、上記説明においては、被検眼を撮影するためのＯＣＴ装置を例としたが、これに限定されず、被検物のＯＣＴデータを撮影するためのＯＣＴ装置において、本実施形態が適用されてもよい。また、被検物は、例えば、眼（前眼部、眼底等）、皮膚など生体のほか、生体以外の材料であってもよい。
【符号の説明】
【０１２５】
１００        干渉光学系
１０４        カップラ
１１０        参照光学系
１２０        光検出器
２００，２１０，２２０，２３０，２４０，２５０      参照用アタッチメント
Ｅ            被検眼
【図１】
2020124297.tif 000003
【図２】
2020124297.tif 000004
【図３】
2020124297.tif 000005
【図４】
2020124297.tif 000006
【図５】
2020124297.tif 000007
【図６】
2020124297.tif 000008
【図７】
2020124297.tif 000009
【図８Ａ】
2020124297.tif 000010
【図８Ｂ】
2020124297.tif 000011
【図９Ａ】
2020124297.tif 000012
【図９Ｂ】
2020124297.tif 000013